【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
印刷データを入力する入力手段と、
前記入力手段により入力された印刷データに基づいて複数のシートに印刷処理する印刷手段と、
前記印刷手段をモノクロ印刷処理が実行可能な第１動作状態又はカラー印刷処理が実行可能な第２動作状態に設定する設定手段と、
前記モノクロ印刷処理においてシートを特定速度にて搬送させるとともに前記カラー印刷処理においてシートを前記特定速度より低速度にて搬送させる第１印刷モード又は前記モノクロ印刷処理及び前記カラー印刷処理のいずれにおいてもシートを前記特定速度より低速度にて搬送させる第２印刷モードのいずれかの印刷モードを選択する選択手段と、
前記選択手段が選択した印刷モードにて印刷処理を実行するよう前記印刷手段を制御する制御手段とを有し、
前記設定手段は、前記第１印刷モードが選択された場合と前記第２印刷モードが選択された場合のいずれにおいても、前記印刷処理を開始するにあたって前記印刷手段を前記第１動作状態に設定することを特徴とする印刷装置。
【請求項２】
前記選択手段は、前記第１印刷モード、前記第２印刷モード又は前記モノクロ印刷処理及び前記カラー印刷処理のいずれにおいてもシートを前記特定速度より低速度にて搬送させる第３印刷モードのいずれかの印刷モードを選択し、
前記設定手段は、前記選択手段が前記第１印刷モード又は前記第２印刷モードを選択した場合は、前記モノクロ印刷処理に引き続いて前記カラー印刷処理を実行するにあたって前記印刷手段を前記第２動作状態に設定し、前記選択手段が前記第３印刷モードを選択した場合は、前記印刷処理を開始するにあたって前記印刷手段を前記第２動作状態に設定することを特徴とする請求項１に記載の印刷装置。
【請求項３】
前記印刷データに含まれる先頭ページの画像データがカラー画像データであるかモノクロ画像データであるかを判別する判別手段を有し、
前記選択手段は、前記判別手段が前記先頭ページの画像データがモノクロ画像データであると判別した場合は前記第１印刷モードを選択し、前記判別手段が前記先頭ページの画像データがカラー画像データであると判別した場合は前記第３印刷モードを選択することを特徴とする請求項２に記載の印刷装置。
【請求項４】
前記印刷データには、前記選択手段に前記第１印刷モードを選択させるための第１情報、前記選択手段に前記第１印刷モード又は前記第２印刷モードを前記判別手段による判別結果に基づいて選択させるための第２情報又は前記選択手段に前記第３印刷モードを選択させるための第３情報のいずれかが含まれており、
前記選択手段は、前記印刷データに前記第１情報が含まれている場合は前記第１印刷モードを選択し、前記印刷データに前記第２情報が含まれている場合は前記第２印刷モードを選択し、前記印刷データに前記第３情報が含まれている場合は前記第３印刷モードを選択することを特徴とする請求項２に記載の印刷装置。
【請求項５】
前記第１印刷モード、前記第２印刷モード又は前記第３印刷モードのいずれかを前記印刷手段の操作者に指定させる指定手段を有し、
前記選択手段は、前記指定手段により指定された印刷モードを選択することを特徴とする請求項２に記載の印刷装置。
【請求項６】
前記第２印刷モードにおけるシート搬送速度は前記第３印刷モードにおけるシート搬送速度と略同一であることを特徴とする請求項２乃至５のいずれか１項に記載の印刷装置。
【請求項７】
前記印刷手段は、複数の印刷部を有し、
前記設定手段は、前記第２印刷モードにおいては、前記カラー印刷処理を開始させる前に、前記複数の印刷部のうち動作状態となっている特定の印刷部を除く他の印刷部を動作状態に移行させることで前記第２動作状態を設定し、前記第３印刷モードにおいては、前記複数の印刷部の全てを動作状態に移行させることで前記第２動作状態を設定することを特徴とする請求項２乃至６のいずれか１項に記載の印刷装置。
【請求項８】
前記複数の印刷部の各々は、現像剤像を担持する像担持部と、前記像担持部からシートに現像剤像を転写する転写部と、前記転写部材に電圧を印加する電圧印加部を有し、
前記設定手段は、前記特定の印刷部に対応する電圧印加部を動作状態に移行させることで前記第１動作状態を設定し、前記複数の印刷部に対応する全ての電圧印加部を動作状態に移行させることで前記第２動作状態を設定することを特徴とする請求項７に記載の印刷装置。
【請求項９】
前記制御手段は、前記第１印刷モードにて印刷処理を実行する際に、前記カラー印刷処理を開始させる前に、印刷装置内のシートを排出する排出処理を実行することを特徴とする請求項１乃至８のいずれか１項に記載の印刷装置。
【請求項１０】
前記制御手段は、前記第１印刷モードにて印刷処理を実行する際に、前記カラー印刷処理を開始させる前に、シート搬送速度を前記特定速度から前記特定速度より低速度に切り替える切替処理を実行することを特徴とする請求項１乃至９のいずれか１項に記載の印刷装置。
【請求項１１】
印刷装置における印刷方法であって、
印刷データを入力する入力ステップと、
前記印刷装置をモノクロ印刷処理が実行可能な第１動作状態又はカラー印刷処理が実行可能な第２動作状態に設定する設定ステップと、
前記モノクロ印刷処理においてシートを特定速度にて搬送させるとともに前記カラー印刷処理においてシートを前記特定速度より低速度にて搬送させる第１印刷モード又は前記モノクロ印刷処理及び前記カラー印刷処理のいずれにおいてもシートを前記特定速度より低速度にて搬送させる第２印刷モードのいずれかの印刷モードを選択する選択ステップと、
前記選択ステップが選択した印刷モードにて印刷処理を実行するよう前記印刷装置を制御する制御ステップとを有し、
前記設定ステップは、前記第１印刷モードが選択された場合と前記第２印刷モードが選択された場合のいずれにおいても、前記印刷処理を開始するにあたって前記印刷手段を前記第１動作状態に設定することを特徴とする印刷方法。
【請求項１２】
前記選択ステップは、前記第１印刷モード、前記第２印刷モード又は前記モノクロ印刷処理及び前記カラー印刷処理のいずれにおいてもシートを前記特定速度より低速度にて搬送させる第３印刷モードのいずれかの印刷モードを選択し、
前記設定ステップは、前記選択ステップが前記第１印刷モード又は前記第２印刷モードを選択した場合は、前記モノクロ印刷処理に引き続いて前記カラー印刷処理を実行するにあたって前記印刷手段を前記第２動作状態に設定し、前記選択ステップが前記第３印刷モードを選択した場合は、前記印刷処理を開始するにあたって前記印刷手段を前記第２動作状態に設定することを特徴とする請求項１１に記載の印刷方法。
【手続補正２】
【補正対象書類名】明細書
【補正対象項目名】００１２
【補正方法】変更
【補正の内容】
【００１２】
上記目的を達成するために、本発明の印刷装置は、印刷データを入力する入力手段と、前記入力手段により入力された印刷データに基づいて複数のシートに印刷処理する印刷手段と、前記印刷手段をモノクロ印刷処理が実行可能な第１動作状態又はカラー印刷処理が実行可能な第２動作状態に設定する設定手段と、前記モノクロ印刷処理においてシートを特定速度にて搬送させるとともに前記カラー印刷処理においてシートを前記特定速度より低速度にて搬送させる第１印刷モード又は前記モノクロ印刷処理及び前記カラー印刷処理のいずれにおいてもシートを前記特定速度より低速度にて搬送させる第２印刷モードのいずれかの印刷モードを選択する選択手段と、前記選択手段が選択した印刷モードにて印刷処理を実行するよう前記印刷手段を制御する制御手段とを有し、前記設定手段は、前記第１印刷モードが選択された場合と前記第２印刷モードが選択された場合のいずれにおいても、前記印刷処理を開始するにあたって前記印刷手段を前記第１動作状態に設定することを特徴とする。
【手続補正３】
【補正対象書類名】明細書
【補正対象項目名】００１３
【補正方法】変更
【補正の内容】
【００１３】
また、本発明の印刷方法は、印刷データを入力する入力ステップと、前記印刷装置をモノクロ印刷処理が実行可能な第１動作状態又はカラー印刷処理が実行可能な第２動作状態に設定する設定ステップと、前記モノクロ印刷処理においてシートを特定速度にて搬送させるとともに前記カラー印刷処理においてシートを前記特定速度より低速度にて搬送させる第１印刷モード又は前記モノクロ印刷処理及び前記カラー印刷処理のいずれにおいてもシートを前記特定速度より低速度にて搬送させる第２印刷モードのいずれかの印刷モードを選択する選択ステップと、前記選択ステップが選択した印刷モードにて印刷処理を実行するよう前記印刷装置を制御する制御ステップとを有し、前記設定ステップは、前記第１印刷モードが選択された場合と前記第２印刷モードが選択された場合のいずれにおいても、前記印刷処理を開始するにあたって前記印刷手段を前記第１動作状態に設定することを特徴とする。
【手続補正４】
【補正対象書類名】明細書
【補正対象項目名】００１４
【補正方法】変更
【補正の内容】
【００１４】
本発明によれば、モノクロ印刷処理においてシートを特定速度にて搬送させるとともにカラー印刷処理においてシートを特定速度より低速度にて搬送させる第１印刷モード又はモノクロ印刷処理及びカラー印刷処理のいずれにおいてもシートを特定速度より低速度にて搬送させる第２印刷モードのいずれかの印刷モードを選択するとともに、いずれの印刷モードが選択された場合でも、印刷処理を開始するにあたって印刷手段をモノクロ印刷処理が実行可能な状態に設定することができる。